(57)【要約】【課題】  移動先でのチャンネルリストを全スキャンすることなくより短時間で提供すること。【解決手段】  携帯電話機１０は、物理チャンネルと当該物理チャンネルに対応する放送内容に関する放送内容情報との組合せを示すチャンネル情報を複数含むチャンネルリストを一又は複数格納する格納部１４と、物理チャンネルを選局する選局部１７と、選局された物理チャンネルに対応する放送波から放送内容情報を取得する放送内容情報取得部１３と、格納部１４に格納されている一又は複数のチャンネルリストから、選局された物理チャンネルと取得された放送内容情報との組合せを示すチャンネル情報を含むチャンネルリストを抽出し、当該チャンネルリストを現在受信可能なチャンネルリストと決定するチャンネルリスト決定部１５とを備える。【選択図】  図１
2008153995.tif 000002
【特許請求の範囲】
【請求項１】
物理チャンネルと当該物理チャンネルに対応する放送内容に関する放送内容情報との組合せを示すチャンネル情報を複数含むチャンネルリストを一又は複数格納する格納手段と、
物理チャンネルを選局する選局手段と、
前記選局手段により選局された物理チャンネルに対応する放送波から前記放送内容情報を取得する取得手段と、
前記格納手段により格納されている一又は複数のチャンネルリストから、前記選局手段により選局された物理チャンネルと前記取得手段により取得された放送内容情報との組合せを示すチャンネル情報を含むチャンネルリストを抽出し、当該チャンネルリストを現在受信可能なチャンネルリストと決定する決定手段とを備える通信端末。
【請求項２】
前記決定手段により前記チャンネルリストが複数抽出された場合に、前記複数抽出されたチャンネルリスト間でチャンネル情報を比較することで前記複数抽出されたチャンネルリスト間の差分を導出する差分導出手段を更に備え、
前記選局手段は、前記差分導出手段により導出された差分から次の物理チャンネルを選局し、
前記取得手段は、前記選局手段により次に選局された物理チャンネルに対応する放送波から前記放送内容情報を取得し、
前記決定手段は、前記複数抽出されたチャンネルリストから、前記次に選局された物理チャンネルと前記取得手段により次に取得された放送内容情報との組合せを示すチャンネル情報を含むチャンネルリストを抽出する請求項１に記載の通信端末。
【請求項３】
前記差分導出手段は、前記複数抽出されたチャンネルリスト間のチャンネル情報のうち、当該チャンネル情報の物理チャンネルが同一で、かつ、当該チャンネル情報の放送内容情報が異なるチャンネル情報をチャンネルリスト間の差分として導出し、
前記選局手段は、前記差分導出手段により導出された差分としてのチャンネル情報の物理チャンネルを次の物理チャンネルとして選局する請求項２に記載の通信端末。
【請求項４】
前記放送内容情報は、放送事業者情報を含む請求項１〜３のいずれか一項に記載の通信端末。
【請求項５】
通信端末が、物理チャンネルと当該物理チャンネルに対応する放送内容に関する放送内容情報との組合せを示すチャンネル情報を複数含むチャンネルリストを一又は複数格納する格納ステップと、
前記通信端末が、物理チャンネルを選局する選局ステップと、
前記通信端末が、前記選局ステップにおいて選局された物理チャンネルに対応する放送波から前記放送内容情報を取得する取得ステップと、
前記通信端末が、前記格納ステップにおいて格納されている一又は複数のチャンネルリストから、前記選局ステップにおいて選局された物理チャンネルと前記取得ステップにおいて取得された放送内容情報との組合せを示すチャンネル情報を含むチャンネルリストを抽出し、当該チャンネルリストを現在受信可能なチャンネルリストと決定する決定ステップとを備えるチャンネル決定方法。
【発明の詳細な説明】
【技術分野】
【０００１】
本発明は、通信端末及びチャンネル決定方法に関するものである。
【背景技術】
【０００２】
放送波を受信可能な機器を他の場所に移動すると、受信可能なチャンネル（物理チャンネル）が変化する場合がある。この場合、移動先で受信可能なチャンネルをその機器が受信できるようにチャンネル設定を変更する必要がある。このようなチャンネルの再設定を行う技術は従来から知られている。例えば、下記特許文献１には、放送信号を全周波数でスキャンして各周波数の受信強度を検出し、その検出結果に基づいて受信可能なチャンネルのリストを作成する地上デジタル放送受信機が記載されている。現在、携帯電話機などの移動通信端末に向けて番組を放送するワンセグメント放送が行われているが、上記地上デジタル放送受信機の手法は移動通信端末にも実装可能である。
【特許文献１】特開２００６−１３９４５号公報
【発明の開示】
【発明が解決しようとする課題】
【０００３】
しかしながら、上記特許文献１に記載の地上デジタル放送受信機では、放送信号を一旦全周波数でスキャン（全スキャン）する必要があるため、受信可能なチャンネルのリストを作成するために長い時間を要してしまう。移動通信端末に上記手法を採用した場合、チャンネル体系が異なる地域にその移動通信端末が移されると、その移動通信端末が移動先でのチャンネル体系に即時に対応できず、移動通信端末の使用者が一時的に番組を視聴できなくなるなどのおそれがある。また、全スキャンした場合には、電波状況が不安定なために本来取得されるはずのチャンネル情報の一部が取得されず、その結果不完全なチャンネルリストが作成されてしまう可能性がある。
【０００４】
本発明は、上記課題を解決する為になされたものであり、移動先でのチャンネルリストを全スキャンすることなくより短時間で提供することが可能な通信端末及びチャンネル決定方法を提供することを目的とする。
【課題を解決するための手段】
【０００５】
本発明の通信端末は、物理チャンネルと当該物理チャンネルに対応する放送内容に関する放送内容情報との組合せを示すチャンネル情報を複数含むチャンネルリストを一又は複数格納する格納手段と、物理チャンネルを選局する選局手段と、選局手段により選局された物理チャンネルに対応する放送波から放送内容情報を取得する取得手段と、格納手段により格納されている一又は複数のチャンネルリストから、選局手段により選局された物理チャンネルと取得手段により取得された放送内容情報との組合せを示すチャンネル情報を含むチャンネルリストを抽出し、当該チャンネルリストを現在受信可能なチャンネルリストと決定する決定手段とを備える。
【０００６】
また、本発明のチャンネル決定方法は、通信端末が、物理チャンネルと当該物理チャンネルに対応する放送内容に関する放送内容情報との組合せを示すチャンネル情報を複数含むチャンネルリストを一又は複数格納する格納ステップと、通信端末が、物理チャンネルを選局する選局ステップと、通信端末が、選局ステップにおいて選局された物理チャンネルに対応する放送波から放送内容情報を取得する取得ステップと、通信端末が、格納ステップにおいて格納されている一又は複数のチャンネルリストから、選局ステップにおいて選局された物理チャンネルと取得ステップにおいて取得された放送内容情報との組合せを示すチャンネル情報を含むチャンネルリストを抽出し、当該チャンネルリストを現在受信可能なチャンネルリストと決定する決定ステップとを備える。
【０００７】
このような通信端末及びチャンネル決定方法によれば、まず、物理チャンネルに対応する放送波から放送内容情報が取得される。そして、これら物理チャンネルと放送内容情報との組合せを示すチャンネル情報に基づいて、一又は複数のチャンネルリストからそのチャンネル情報を含むチャンネルリストが抽出され、そのチャンネルリストが現在受信可能なチャンネルリストと決定される。このように、取得された放送内容情報に対応するチャンネル情報のみに基づいて現在受信可能なチャンネルリストを決定することができるので、移動先でのチャンネルリストを全スキャンすることなくより短時間で提供することが可能になる。このとき、決定されたチャンネルリストには選局可能（受信可能）な物理チャンネルがすべて含まれているので、通信端末の使用者が不完全なチャンネルリストを使用するおそれがない。加えて、受信する放送波を変更する必要がないため、より簡易にチャンネルリストを提供することができる。
【０００８】
本発明の通信端末では、決定手段によりチャンネルリストが複数抽出された場合に、複数抽出されたチャンネルリスト間でチャンネル情報を比較することで複数抽出されたチャンネルリスト間の差分を導出する差分導出手段を更に備え、選局手段は、差分導出手段により導出された差分から次の物理チャンネルを選局し、取得手段は、選局手段により次に選局された物理チャンネルに対応する放送波から放送内容情報を取得し、決定手段は、複数抽出されたチャンネルリストから、次に選局された物理チャンネルと取得手段により次に取得された放送内容情報との組合せを示すチャンネル情報を含むチャンネルリストを抽出することが好ましい。
【０００９】
この場合、複数抽出されたチャンネルリスト間の差分から次の物理チャンネルが選局され、その物理チャンネルに対応する放送内容情報が取得される。そして、これら物理チャンネルと放送内容情報との組合せを示すチャンネル情報に基づいて、抽出済みのチャンネルリストの中から更にチャンネルリストが抽出される。これにより、抽出された複数のチャンネルリストから特定のチャンネルリストに絞り込む場合に全物理チャンネルを選局する必要がなくなり、最小限の選局で移動先のチャンネルリストを特定することが可能になる。その結果、特定のチャンネルリストをより短時間で提供することができる。また、次の物理チャンネルを選局する際には、抽出された複数のチャンネルリスト間でチャンネル情報を比較してこれらチャンネルリスト間の差分を抽出すれば足りるので、処理が簡易である。
【００１０】
本発明の通信端末では、差分導出手段は、複数抽出されたチャンネルリスト間のチャンネル情報のうち、当該チャンネル情報の物理チャンネルが同一で、かつ、当該チャンネル情報の放送内容情報が異なるチャンネル情報をチャンネルリスト間の差分として導出し、選局手段は、差分導出手段により導出された差分としてのチャンネル情報の物理チャンネルを次の物理チャンネルとして選局することが好ましい。
【００１１】
この場合、チャンネルリスト間のチャンネル情報で共通の物理チャンネルを基準に差分を導出するので、処理がより簡易である。
【００１２】
本発明の通信端末では、放送内容情報が放送事業者情報を含むことが好ましい。放送事業者情報は放送波から容易に取得できるので、チャンネルリストの抽出をより容易に行うことが可能になる。
【発明の効果】
【００１３】
このような通信端末及びチャンネル決定方法によれば、移動先でのチャンネルリストを全スキャンすることなくより短時間で提供することができる。
【発明を実施するための最良の形態】
【００１４】
以下、添付図面を参照しながら本発明の実施形態を詳細に説明する。なお、図面の説明において同一又は同等の要素には同一の符号を付し、重複する説明を省略する。
【００１５】
まず、図１を用いて、実施形態に係る携帯電話機（通信端末）１０について説明する。図１は、実施形態に係る携帯電話機１０の機能構成を示す図である。携帯電話機１０は、放送施設２０から発信されたテレビ番組の放送波を受信して、そのテレビ番組を表示することができる。なお、携帯電話機１０がテレビ番組を受信する形態はこれに限定されず、例えば、携帯電話機１０がインターネットなどの通信回線を介して配信されるテレビ番組を受信してもよい。
【００１６】
携帯電話機１０は、機能的構成要素として受信部１１、表示部１２、放送内容情報取得部（取得手段）１３、格納部（格納手段）１４、チャンネルリスト決定部（決定手段）１５、差分導出部（差分導出手段）１６及び選局部（選局手段）１７を備えている。
【００１７】
受信部１１は、放送施設２０から発信された放送波をアンテナＡＮＴを介して受信し、その放送波を復号する。そして、受信部１１は、復号された信号、すなわちテレビ番組のデータを表示部１２と放送内容情報取得部１３とに出力する。
【００１８】
表示部１２は、受信部１１から入力されたテレビ番組のデータを処理して、そのテレビ番組を画面に表示する。これにより、携帯電話機１０の使用者は、テレビ番組を視聴することができる。
【００１９】
放送内容情報取得部１３は、受信部１１から入力されたテレビ番組のデータから放送内容に関する放送内容情報を取得する。放送内容情報取得部１３が受け付けるテレビ番組のデータは、後述する選局部１７が選局した物理チャンネルに対応する放送波を復号して得たものであるから、放送内容情報取得部１３は、その放送波から放送内容情報を取得する部分であるといえる。そして、放送内容情報取得部１３は、選局中の物理チャンネルと取得された放送内容情報とを組み合わせてチャンネル情報を生成し、生成されたチャンネル情報をチャンネルリスト決定部１５に出力する。
【００２０】
チャンネル情報は、物理チャンネルと当該物理チャンネルに対応する放送内容に関する放送内容情報との組合せを示すものである。放送内容情報には、放送系列を識別する系列ＩＤとサービスを識別するためのサービスＩＤとが含まれる。そして、系列ＩＤとサービスＩＤとにより、放送事業者を特定するための放送事業者情報が形成される。したがって、チャンネル情報は、例えば、物理チャンネルと、系列ＩＤと、サービスＩＤとが対応付けられたものである。例えば、放送内容情報取得部１３は、系列ＩＤ「系列１」と、サービスＩＤ「０００１」とを有する放送内容情報を取得し、この放送内容情報と物理チャンネル「１４ｃｈ」との組合せであるチャンネル情報を生成し出力する。
【００２１】
格納部１４は、チャンネル情報の集合であるチャンネルリストを一又は複数格納する。ここでも、チャンネル情報は、物理チャンネルと、系列ＩＤ及びサービスＩＤを有する放送内容情報との組合せで表される。例えば、格納部１４は、図２に示すように、チャンネルリストＡ〜Ｅを格納する。各チャンネルリストＡ〜Ｅは、物理チャンネル１３〜６２のそれぞれについてチャンネル情報を持つことが可能である。例えば、チャンネルリストＡは、物理チャンネル「１４ｃｈ」、「１８ｃｈ」、「２２ｃｈ」、「２４ｃｈ」及び「２５ｃｈ」についてのチャンネル情報を有している。なお、図２では、簡単のために物理チャンネル１３〜３０のみを示す。また、図２においては、便宜上、リストＡ〜Ｅを横に並べ、物理チャンネル列は、各チャンネルリスト共通のものとして表の最左列にのみ示している。
【００２２】
チャンネルリスト決定部１５は、放送内容情報取得部１３から入力されるチャンネル情報を用いて、格納部１４に格納されているチャンネルリストからそのチャンネル情報を含むチャンネルリストを抽出する。そして、チャンネルリスト決定部１５は、一のチャンネルリストを現在受信可能なチャンネルリストとして決定する。ここで、現在受信可能なチャンネルリストとは、携帯電話機１０の使用者が視聴するテレビ番組（チャンネル）を選択する際の選択肢として提供されるチャンネルリストである。例えば、現在受信可能なチャンネルリストを表示部１２に表示し、携帯電話機１０の使用者にチャンネルを選択させることが可能になる。
【００２３】
例えば、格納部１４に格納されているチャンネルリストが図２に示すものであり、物理チャンネル「１５ｃｈ」と、系列ＩＤ「系列４」と、サービスＩＤ「００２１」とが対応付けられたチャンネル情報が放送内容情報取得部１３から入力された場合、チャンネルリスト決定部１５は、そのチャンネル情報を含むチャンネルリストＣを抽出し、チャンネルリストＣを現在受信可能なチャンネルリストと決定する。
【００２４】
しかし、抽出されたチャンネルリストが複数の場合には、一のチャンネルリストを決定する必要がある。そして、一のチャンネルリストを決定するためには、チャンネルリスト決定部１５に別のチャンネル情報を与える必要がある。以下では、チャンネルリスト決定部１５に別のチャンネル情報を与え、抽出された複数のチャンネルリストから一のチャンネルリストを決定する処理について説明する。なお、この処理を行うために、差分導出部１６及び選局部１７が用いられる。
【００２５】
チャンネルリスト決定部１５により複数のチャンネルリストが抽出された場合、このチャンネルリスト決定部１５は、自身が抽出した複数のチャンネルリストを差分導出部１６に出力する。例えば、格納部１４に格納されているチャンネルリストが図２に示すものであり、物理チャンネル「１４ｃｈ」と、系列ＩＤ「系列１」と、サービスＩＤ「０００１」とが対応付けられたチャンネル情報が放送内容情報取得部１３から入力された場合、チャンネルリスト決定部１５は、このチャンネル情報を含むチャンネルリストＡ、Ｂ、Ｄ及びＥを差分導出部１６に出力する（図３参照）。
【００２６】
差分導出部１６は、チャンネルリスト決定部１５から入力された複数のチャンネルリスト間の差分を導出する。具体的には、差分導出部１６は、複数のチャンネルリスト間でチャンネル情報を比較して、差異がある物理チャンネルを選択し、その物理チャンネルを選局部１７に出力する。例えば、チャンネルリスト決定部１５から図３に示されるチャンネルリストＡ、Ｂ、Ｄ及びＥが入力された場合、差分導出部１６は、物理チャンネルを昇順に検索し、これらチャンネルリスト間で放送内容情報が異なる物理チャンネル「１８ｃｈ」を取得し、物理チャンネル「１８ｃｈ」を選局部１７に出力する（図４参照）。
【００２７】
選局部１７は、差分導出部１６から入力された物理チャンネルに対応する放送波を受信部１１が受信するように選局を行う。これにより、受信部１１は、その物理チャンネルに対応する放送波を受信することができる。すなわち、選局部１７は、差分導出部１６により導出された差分から次の物理チャンネルを選局する。また、選局部１７は、携帯電話機１０の視聴者が入力部（図示せず）を介して行ったチャンネル変更の指示に従って、受信する物理チャンネルを選局する。
【００２８】
その後、受信部１１は、選局部１７が選局した物理チャンネル（差分導出部１６が導出した物理チャンネル）に対応する放送波を受信し、その放送波を復号して、テレビ番組のデータを放送内容情報取得部１３に出力する。放送内容情報取得部１３は、そのデータから放送内容情報を取得し、選局された物理チャンネルと取得された放送内容情報とに基づいてチャンネル情報を生成し、生成されたチャンネル情報をチャンネルリスト決定部１５に出力する。すなわち、放送内容情報取得部１３は、選局部１７により次に選局された物理チャンネルに対応する放送波から放送内容情報を取得する。その後、チャンネルリスト決定部１５は、既に抽出されている複数のチャンネルリストから、放送内容情報取得部１３より新たに入力されたチャンネル情報を含むチャンネルリストを抽出する。すなわち、チャンネルリスト決定部１５は、複数抽出されたチャンネルリストから、選局部１７により次に選局された物理チャンネルと放送内容情報取得部１３により次に取得された放送内容情報との組合せを示すチャンネル情報を含むチャンネルリストを抽出する。
【００２９】
例えば、上述のように選局部１７が物理チャンネル「１８ｃｈ」を選局した結果、物理チャンネル「１８ｃｈ」と、系列ＩＤ「系列２」と、サービスＩＤ「００１３」とが対応付けられたチャンネル情報がチャンネルリスト決定部１５に入力された場合、チャンネルリスト決定部１５はチャンネルリストＢを現在受信可能なチャンネルリストと決定する（図４参照）。
【００３０】
これに対し、物理チャンネル「１８ｃｈ」と、系列ＩＤ「系列２」と、サービスＩＤ「００１１」とが対応付けられたチャンネル情報がチャンネルリスト決定部１５に入力された場合、チャンネルリスト決定部１５は、チャンネルリストＡ、Ｄ及びＥを差分導出部１６に出力する（図４参照）。この場合、差分導出部１６による物理チャンネルの選択と、選局部１７によるその物理チャンネルの選局と、受信部１１によるその物理チャンネルに対応する放送波の復号と、放送内容情報取得部１３によるその放送波に対応する放送内容情報の取得及びその放送内容情報を含むチャンネル情報の出力と、チャンネルリスト決定部１５によるそのチャンネル情報を含むチャンネルリストの抽出とが１回以上実行される。そして、最終的にチャンネルリストＡ、Ｄ及びＥのうち一のチャンネルリストが現在受信可能なチャンネルリストと決定される。
【００３１】
なお、携帯電話機１０の現在位置によっては、差分導出部１６により選択された物理チャンネルに対応するテレビ放送が提供されていないために、受信部１１がその物理チャンネルに対応する放送波を受信できない場合がある。この場合、差分導出部１６は、複数のチャンネルリスト間で差異があり且つ未選局の物理チャンネルを選択し、その物理チャンネルを選局部１７に出力する。
【００３２】
例えば、図４に示すチャンネルリスト群から、物理チャンネル「１４ｃｈ」及び「１８ｃｈ」に対応するチャンネル情報に基づいてチャンネルリストＡ、Ｄ及びＥが抽出された場合、差分導出部１６は、次に物理チャンネル「２１ｃｈ」を選択する。しかし、チャンネルリストＡを受信可能な地域内に携帯電話機１０が存在する場合には、受信部１１は、この物理チャンネル「２１ｃｈ」に対応する放送波を受信することができない。この場合、差分導出部１６は、チャンネルＡ、Ｄ及びＥの間で差異があり且つ未選局の物理チャンネル「２２ｃｈ」を選択し、この物理チャンネルを選局部１７に出力する（図５参照）。
【００３３】
更に、携帯電話機１０の現在位置によっては、格納部１４に格納されている各チャンネルリストがその現在位置に該当しないために、チャンネルリスト決定部１５が現在受信可能なチャンネルリストを決定することができない場合がある。この場合、チャンネルリスト決定部１５は、最後に抽出された複数のチャンネルリスト（チャンネルリストの名称のみでもよい）と、携帯電話機１０の使用者に一のチャンネルリストを決定させるためのインタフェースを提供する指示とを表示部１２に出力する。表示部１２は、チャンネルリスト決定部１５から入力されたチャンネルリスト及び指示に基づいて、複数のチャンネルリストから一のチャンネルリストを決定させるためのインタフェースを表示する。そして、チャンネルリスト決定部１５は、携帯電話機１０の使用者により選択されたチャンネルリストを現在受信可能なチャンネルリストと決定する。
【００３４】
例えば、格納部１４に格納されているチャンネルリストＡ〜Ｅのそれぞれに対応する地域のいずれにも携帯電話機１０が存在しない場合、チャンネルリスト決定部１５は、現在受信可能なチャンネルリストを決定することができない。したがって、チャンネルリスト決定部１５は、チャンネルリストＡ〜Ｅのうち最後に抽出された複数のチャンネルリストと上記インタフェースを提供する指示とを表示部１２に出力する。なお、この場合、チャンネルリスト決定部１５がチャンネルリストを全く抽出することができないために、チャンネルリスト決定部１５が格納部１４に格納されている全チャンネルリストＡ〜Ｅを表示部１２に出力することもありうる。
【００３５】
次に、図６及び７を用いて、図１に示す携帯電話機１０の動作を説明するとともに、本実施形態に係るチャンネル決定方法について説明する。図６は、携帯電話機１０によるチャンネル決定処理を示すフローチャートであり、図７は、図６に示す絞り込み処理の詳細を示すフローチャートである。
【００３６】
まず、選局部１７が、指定された物理チャンネルを選局する（ステップＳ１１、選局ステップ）。このとき、物理チャンネルの選局をどのように行うかは限定されない。例えば、携帯電話機１０の使用者によるチャンネルの選択に従って選局してもよいし、物理チャンネルを昇順に検波して最初に検出したチャンネルを選局してもよい。
【００３７】
次に、放送内容情報取得部１３が、受信部１１が受信した放送波から放送内容情報を取得する（ステップＳ１２、取得ステップ）。そして、チャンネルリスト決定部１５が、放送内容情報取得部１３により生成されたチャンネル情報を用いて、格納部１４に格納されている（格納ステップ）チャンネルリストを検索（抽出）する（ステップＳ１３、決定ステップ）。このとき、検索されたチャンネルリストの件数が１件であれば（ステップＳ１４；ＹＥＳ）、そのチャンネルリストが現在受信可能なチャンネルリストと決定される（ステップＳ１５、決定ステップ）。これに対し、検索されたチャンネルリストの件数が複数であれば（ステップＳ１４；ＮＯ）、複数のチャンネルリストから一のチャンネルリストを決定するための絞り込み処理が行われる（ステップＳ１６）。
【００３８】
絞り込み処理の詳細は次の通りである。まず、差分導出部１６がチャンネルリスト決定部１５により検索されたチャンネルリスト同士を物理チャンネル毎に比較し、複数のチャンネルリスト間の差分を導出する（ステップＳ１６１）。そして、選局部１７がその差分に基づいてチャンネルリスト間で差異がある物理チャンネルを選局する（ステップＳ１６２）。そして、受信部１１がその物理チャンネルに対応する放送波を受信できた場合は（ステップＳ１６３；ＹＥＳ）、放送内容情報取得部１３がその放送波に対応する放送内容情報を取得し（ステップＳ１６４）、チャンネルリスト決定部１５が、放送内容情報取得部１３により生成されたチャンネル情報を用いて、抽出済みのチャンネルリストを更に検索する（ステップＳ１６５）。ここで、検索されたチャンネルリストの件数が１件の場合は（ステップＳ１６６；ＹＥＳ）、チャンネルリスト決定部１５がそのチャンネルリストを現在受信可能なチャンネルリストと決定する（ステップＳ１６７）。これに対し、検索されたチャンネルリストの件数が複数の場合は（ステップＳ１６６；ＮＯ）、上記ステップＳ１６１の処理に戻る。
【００３９】
受信部１１が選局部１７により選局された物理チャンネルに対応する放送波を受信できなかった場合は（ステップＳ１６３；ＮＯ）、差分導出部１６が複数のチャンネルリスト間で差異があり且つ未選局の物理チャンネルが存在するか否かを判定する（ステップＳ１６８；ＹＥＳ）。このとき、未選局の物理チャンネルが存在すれば（ステップＳ１６８；ＹＥＳ）、上記ステップＳ１６２の処理に戻る。一方、未選局の物理チャンネルが存在しなければ（ステップＳ１６８；ＮＯ）、携帯電話機１０の使用者に一のチャンネルリストを決定させるためのインタフェースが表示部１２に表示され、その使用者の選択に従って現在受信可能なチャンネルリストが決定される（ステップＳ１６９）。
【００４０】
本実施形態に係る携帯電話機１０によれば、まず、放送内容情報取得部１３により、物理チャンネルに対応する放送波から放送内容情報が取得される。そして、これら物理チャンネルと放送内容情報との組合せを示すチャンネル情報に基づいて、一又は複数のチャンネルリストからそのチャンネル情報を含むチャンネルリストがチャンネルリスト決定部１５により抽出される。そして、チャンネルリスト決定部１５により、そのチャンネルリストが現在受信可能なチャンネルリストと決定される。このように、取得された放送内容情報に対応するチャンネル情報のみに基づいて現在受信可能なチャンネルリストを決定することができるので、移動先でのチャンネルリストを全スキャンすることなくより短時間で提供することが可能になる。このとき、決定されたチャンネルリストには選局可能（受信可能）な物理チャンネルがすべて含まれているので、携帯電話機１０の使用者が不完全なチャンネルリストを使用するおそれがない。加えて、一のチャンネル情報のみでチャンネルリストが決定されれば、受信する放送波を変更する必要がないため（更に選局する必要がないため）、より簡易にチャンネルリストを提供することができる。
【００４１】
また、本実施形態に係る携帯電話機１０によれば、差分導出部１６により導出されたチャンネルリスト間の差分から次の物理チャンネルが選局され、その物理チャンネルに対応する放送内容情報が取得される。そして、これら物理チャンネルと放送内容情報との組合せを示すチャンネル情報チャンネル情報に基づいて、抽出済みのチャンネルリストの中から更にチャンネルリストが抽出される。これにより、抽出された複数のチャンネルリストから特定のチャンネルリストに絞り込む場合に全チャンネルを選局する必要がなくなり、最小限の選局で移動先のチャンネルリストを特定することが可能になる。その結果、特定のチャンネルリストをより短時間で提供することができる。また、次の物理チャンネルを選局する際には、抽出された複数のチャンネルリスト間でチャンネル情報を比較してこれらチャンネルリスト間の差分を抽出すれば足りるので、処理が簡易である。
【００４２】
また、本実施形態に係る携帯電話機１０によれば、チャンネルリスト間のチャンネル情報で共通の物理チャンネルを基準に差分を導出するので、処理がより簡易である。更に、本実施形態では、放送波から容易に取得できる放送事業者情報を含む放送内容情報を用いるので、チャンネルリストの抽出をより容易に行うことが可能になる。
【００４３】
以上、本発明をその実施形態に基づいて詳細に説明した。しかし、本発明は上記実施形態に限定されるものではない。本発明は、その要旨を逸脱しない範囲で以下のような様々な変形が可能である。
【００４４】
上記実施形態では、チャンネルリスト決定部１５が複数のチャンネルリストから現在受信可能なチャンネルリストを決定することができなかった場合に、表示部１２が携帯電話機１０の使用者に一のチャンネルリストを決定させるためのインタフェースを表示したが、この場合の処理はこれに限定されない。
【００４５】
例えば、チャンネルリストの過去の利用履歴を格納部１４に格納した上で、チャンネルリスト決定部１５が抽出済みのチャンネルリストのうち最も利用頻度が高いチャンネルリストを自動的に選択するようにしてもよい。過去の利用履歴に対して所定のチャンネルリスト決定方法（最も利用頻度が高いチャンネルリストを選択する、最近利用されたチャンネルリストを選択する等）を適用することで、携帯電話機１０の使用者に負担をかけることなく、現在受信できる可能性が高い一のチャンネルリストを決定することが可能になる。
【００４６】
また、チャンネルリストを受信可能な地域を識別する情報をそのチャンネルリストに対応付け、携帯電話機１０の現在位置（携帯電話機１０が現に受信するチャンネルリストに対応する地域）に隣接する地域のチャンネルリストを選択するようにしてもよい。この方法を用いることで、受信できる可能性が高いチャンネルリストを現在受信可能なチャンネルリストと決定することができる。
【００４７】
上記実施形態では、チャンネルリスト決定部１５が現在受信可能なチャンネルリストを決定する時期を限定していないが、その決定時期を限定してもよい。例えば、携帯電話機１０の使用者が入力部（図示せず）を介してチャンネルを変更した時に上述の処理を行ってもよい。また、受信部１１での受信レベルを検出する検出部（図示せず）を携帯電話機１０に備えた上で、その検出部で検出された受信レベルが所定値以下あるいは所定値以上になった時に上述の処理を行ってもよい。このように現在受信可能なチャンネルリストを決定する時期を限定することで、上述の処理に要する携帯電話機１０の消費電力を低減することができる。
【００４８】
上記実施形態では、通信端末として携帯電話機１０を用いたが、簡易型携帯電話機（ＰＨＳ：Personal Handy-phone System）、あるいは、携帯型情報端末（ＰＤＡ：Personal Digital Assistant）などを通信端末として利用してもよい。
【００４９】
上記実施形態では、受信部１１がテレビ放送の放送波を受信したが、ラジオ放送の放送波などを受信してもよい。すなわち、チャンネルリスト決定部１５により決定される現在受信可能なチャンネルリストは、テレビ放送に関するものに限られず、ラジオ放送に関するものなどでもよい。
【図面の簡単な説明】
【００５０】
【図１】実施形態に係る携帯電話機の機能構成を示す図である。
【図２】図１に示す格納部に格納されるチャンネルリストの例を示す図である。
【図３】図２に示すチャンネルリストから現在受信可能なチャンネルリストを決定する過程を示す図である。
【図４】図２に示すチャンネルリストから現在受信可能なチャンネルリストを決定する過程を示す図である。
【図５】図２に示すチャンネルリストから現在受信可能なチャンネルリストを決定する過程を示す図である。
【図６】図１に示す携帯電話機によるチャンネル決定処理を示すフローチャートである。
【図７】図６に示す絞り込み処理の詳細を示すフローチャートである。
【符号の説明】
【００５１】
１０…携帯電話機（通信端末）、１３…放送内容情報取得部（取得手段）、１４…格納部（格納手段）、１５…チャンネルリスト決定部（決定手段）、１６…差分導出部（差分導出手段）、１７…選局部（選局手段）。
【図１】
2008153995.tif 000003
【図２】
2008153995.tif 000004
【図３】
2008153995.tif 000005
【図４】
2008153995.tif 000006
【図５】
2008153995.tif 000007
【図６】
2008153995.tif 000008
【図７】
2008153995.tif 000009